(57)【要約】【課題】選択されている入力端子を判別しやすくすることができる電子機器及びプロジェクタを提供すること。【解決手段】それぞれ信号が入力される複数の入力端子８１〜８８と、複数の入力端子８１〜８８のうちの少なくとも１つを選択する選択手段（端子選択部）４３２と、選択された入力端子を介して入力される信号を処理する処理手段（画像処理部）４３１と、選択された入力端子を報知する報知手段（インジケータ及び液晶パネル）７１〜７９，９１〜９８とを備える。これによれば、報知手段７１〜７９，９１〜９８により、選択されている入力端子がどの入力端子であるのかが報知されるので、当該入力端子を判別しやすくすることができる。【選択図】図３
2009296404.tif 000002
【特許請求の範囲】
【請求項１】
それぞれ信号が入力される複数の入力端子と、
前記複数の入力端子のうちの少なくとも１つを選択する選択手段と、
選択された前記入力端子を介して入力される信号を処理する処理手段と、
選択された前記入力端子を報知する報知手段とを備えることを特徴とする電子機器。
【請求項２】
請求項１に記載の電子機器において、
前記報知手段は、前記選択手段により選択された前記入力端子を示す表示を行う表示手段であることを特徴とする電子機器。
【請求項３】
請求項２に記載の電子機器において、
前記表示手段は、前記複数の入力端子に応じて設けられる複数の表示部を備え、
当該電子機器は、
前記複数の表示部の表示状態を制御して、前記表示を行わせる表示制御手段を備えることを特徴とする電子機器。
【請求項４】
請求項３に記載の電子機器において、
前記複数の入力端子のそれぞれに対して、入力される信号の有無を検出する入力検出手段と、
前記入力検出手段による検出結果に基づいて、対応する前記入力端子に信号が入力されているか否かを判定する判定手段とを備え、
前記表示制御手段は、
前記複数の入力端子のうち、選択され、かつ、信号が入力されていると判定された入力端子に応じた前記表示部と、選択され、かつ、信号が入力されていないと判定された入力端子に応じた前記表示部と、選択されていない入力端子に応じた前記表示部とを、それぞれ異なる表示状態とすることを特徴とする電子機器。
【請求項５】
請求項４に記載の電子機器において、
前記表示制御手段は、
前記複数の入力端子のうち、選択され、かつ、信号が入力されていると判定された入力端子に応じた前記表示部を点灯表示させ、選択され、かつ、信号が入力されていないと判定された入力端子に応じた前記表示部を点滅表示させ、選択されていない入力端子に応じた前記表示部を消灯させることを特徴とする電子機器。
【請求項６】
請求項４に記載の電子機器において、
前記表示制御手段は、
前記複数の入力端子のうち、選択され、かつ、信号が入力されていると判定された入力端子に応じた前記表示部と、選択され、かつ、信号が入力されていないと判定された入力端子に応じた前記表示部と、選択されていない入力端子に応じた前記表示部とを、それぞれ異なる色に設定することを特徴とする電子機器。
【請求項７】
請求項３から請求項６のいずれかに記載の電子機器において、
前記各表示部は、対応する前記入力端子の近傍に設けられることを特徴とする電子機器。
【請求項８】
光源装置と、入力される映像信号に応じて前記光源装置から射出された光束を変調して画像光を形成する光変調装置と、前記画像光を投射する投射光学装置とを備えたプロジェクタであって、
それぞれ映像信号が入力される複数の入力端子と、
前記複数の入力端子のうちの少なくとも１つを選択する選択手段と、
選択された前記入力端子を介して入力される映像信号を処理する処理手段と、
選択された前記入力端子を報知する報知手段とを備えることを特徴とするプロジェクタ。
【発明の詳細な説明】
【技術分野】
【０００１】
本発明は、複数の入力端子を備えた電子機器及びプロジェクタに関する。
【背景技術】
【０００２】
従来、ＰＣ（Personal Computer）等の映像信号を出力する外部機器と接続される入力端子を備え、光源から射出された光束を変調して当該映像信号に応じた画像光を形成及び投射するプロジェクタが知られている。このようなプロジェクタとして、複数の入力端子を備えたプロジェクタが知られている（例えば、特許文献１参照）。
この特許文献１に記載のプロジェクタの背面には、複数の入力端子（接続端子）が設けられ、当該入力端子を介して外部機器から入力される映像信号（画像信号）を制御基板が処理する。そして、当該制御基板が、光変調装置としての液晶パネルに駆動信号を出力することで、入力された映像信号に応じた画像光が形成される。
【０００３】
【特許文献１】特開２００４−２７２０９３号公報
【発明の開示】
【発明が解決しようとする課題】
【０００４】
しかしながら、特許文献１に記載のプロジェクタでは、入力端子が複数設けられているため、どの入力端子が選択されているのかの判別がしづらいという問題がある。
【０００５】
本発明の目的は、選択されている入力端子を判別しやすくすることができる電子機器及びプロジェクタを提供することである。
【課題を解決するための手段】
【０００６】
前記した目的を達成するために、本発明の電子機器は、それぞれ信号が入力される複数の入力端子と、前記複数の入力端子のうちの少なくとも１つを選択する選択手段と、選択された前記入力端子を介して入力される信号を処理する処理手段と、選択された前記入力端子を報知する報知手段とを備えることを特徴とする。
【０００７】
本発明によれば、報知手段により、複数の入力端子のうち、選択手段により選択された入力端子が報知されるので、現在選択されている入力端子（選択端子）がどの入力端子であるのかを判別しやすくすることができる。従って、処理手段による処理結果を確認しなくても、選択端子を判別しやすくすることができる。
【０００８】
本発明では、前記報知手段は、前記選択手段により選択された前記入力端子を示す表示を行う表示手段であることが好ましい。
ここで、例えば、報知手段が、選択端子を音声により報知する場合では、当該音声を正確に聞いて判別する必要がある。また、入力される信号が音声信号であり、当該音声信号を処理手段が処理して音声を出力する電子機器である場合には、報知手段により報知される音声を聞き取りづらい。
これに対し、本発明によれば、どの入力端子が選択されているのかが表示手段により表示されるので、当該表示手段を確認するだけで、選択端子を判別することができる。従って、選択端子の判別を速やかに、かつ、正確に行うことができる。
【０００９】
本発明では、前記表示手段は、前記複数の入力端子に応じて設けられる複数の表示部を備え、当該電子機器は、前記複数の表示部の表示状態を制御して、前記表示を行わせる表示制御手段を備えることが好ましい。
このような表示部は、ＬＥＤ（Light Emitting Diode）等で構成することができる。
ここで、１つの表示部により、各入力端子に設定された番号及び文字列等で選択端子を示す場合には、表示部が小さいと当該番号及び文字列を判別しづらい。また、複数の入力端子を備える電子機器では、使用者が当該電子機器近傍に位置しない場合が多く、特に、リモコン等を使用して電子機器を遠隔操作する場合では、使用者は電子機器近傍に位置しない。このため、表示部を大きく形成する必要が生じるが、このような場合、電子機器の製造コストが増加するだけでなく、当該電子機器の小型化を図ることができないという問題が生じる。
【００１０】
これに対し、本発明によれば、各入力端子に応じて設けられた複数の表示部のうち、選択されている入力端子に応じた表示部の表示状態を、他の表示部の表示状態と区別できるように、表示制御手段が制御することにより、当該表示部の表示状態に基づいて、どの入力端子が選択されているのかを容易に判別することができる。従って、表示手段を小さく構成することができ、電子機器の大型化を防ぐことができる。
【００１１】
本発明では、前記複数の入力端子のそれぞれに対して、入力される信号の有無を検出する入力検出手段と、前記入力検出手段による検出結果に基づいて、対応する前記入力端子に信号が入力されているか否かを判定する判定手段とを備え、前記表示制御手段は、前記複数の入力端子のうち、選択され、かつ、信号が入力されていると判定された入力端子に応じた前記表示部と、選択され、かつ、信号が入力されていないと判定された入力端子に応じた前記表示部と、選択されていない入力端子に応じた前記表示部とを、それぞれ異なる表示状態とすることが好ましい。
【００１２】
本発明によれば、各表示部の表示状態を確認することで、選択されている入力端子と、それ以外の入力端子とを区別することができるだけでなく、当該選択されている入力端子に、信号が入力しているか否かを判別することができる。従って、各入力端子の選択状態及び信号入力状態を、一層容易に判別することができる。
【００１３】
本発明では、前記表示制御手段は、前記複数の入力端子のうち、選択され、かつ、信号が入力されていると判定された入力端子に応じた前記表示部を点灯表示させ、選択され、かつ、信号が入力されていないと判定された入力端子に応じた前記表示部を点滅表示させ、選択されていない入力端子に応じた前記表示部を消灯させることが好ましい。
本発明によれば、選択端子に応じた表示部が点灯又は点滅し、他の表示部は消灯されるので、選択端子を判別しやすくすることができる。また、当該選択端子の信号入力状態が、表示部の点灯及び点滅により示されるので、当該信号入力状態を一層容易に確認することができる。
【００１４】
或いは、本発明では、前記表示制御手段は、前記複数の入力端子のうち、選択され、かつ、信号が入力されていると判定された入力端子に応じた前記表示部と、選択され、かつ、信号が入力されていないと判定された入力端子に応じた前記表示部と、選択されていない入力端子に応じた前記表示部とを、それぞれ異なる色に設定することが好ましい。
本発明によれば、選択端子と他の入力端子とを表示部の色で区別することができるほか、当該選択端子の信号入力端子を色で判別することができる。従って、選択端子及び当該選択端子の信号入力状態を、一層容易に判別することができる。
【００１５】
本発明では、前記各表示部は、対応する前記入力端子の近傍に設けられることが好ましい。
本発明によれば、表示部は、それぞれ対応する入力端子近傍に設けられるので、どの表示部がどの入力端子に対応しているかを判別しやすくすることができる。従って、どの入力端子が選択されているのかを一層容易に判別することができる。
【００１６】
また、本発明のプロジェクタは、光源装置と、入力される映像信号に応じて前記光源装置から射出された光束を変調して画像光を形成する光変調装置と、前記画像光を投射する投射光学装置とを備えたプロジェクタであって、それぞれ映像信号が入力される複数の入力端子と、前記複数の入力端子のうちの少なくとも１つを選択する選択手段と、選択された前記入力端子を介して入力される映像信号を処理する処理手段と、選択された前記入力端子を報知する報知手段とを備えることを特徴とする。
【００１７】
本発明によれば、前述の電子機器と同様の効果を奏することができる。
また、映像信号が入力する各入力端子の選択状態を報知する報知手段により、ＯＳＤ（On Screen display）等により現在選択されている入力端子を示す表示を行わせることなく、現在選択されている入力端子がどの入力端子であるのかを判別することができる。従って、プロジェクタの利便性を向上することができる。
【発明を実施するための最良の形態】
【００１８】
〔１．第１実施形態〕
以下、本発明の第１実施形態を図面に基づいて説明する。
〔プロジェクタの外観構成〕
図１は、本実施形態に係るプロジェクタ１を前面側から見た斜視図である。
プロジェクタ１は、光源から射出された光束を変調して映像信号に応じた画像光を形成し、当該画像光をスクリーン等の投射面上に拡大投射する電子機器である。また、当該プロジェクタ１は、映像信号が入力される複数の入力端子を備え、これら入力端子のうち、現在選択されている入力端子（選択端子）、及び、当該入力端子への信号入力状態を示す表示を行う。このようなプロジェクタ１は、図１に示すように、外装を構成し、かつ、後述する光学装置３等を内部に収納する筐体２を備えている。この筐体２は、天面部２Ａ、前面部２Ｂ、背面部２Ｃ、左側面部２Ｄ、右側面部２Ｅ及び底面部２Ｆを有する全体略直方体形状の合成樹脂製筐体であり、上側のアッパーケース２１と、下側のロアーケース２２とが組み合わされて構成されている。
【００１９】
天面部２Ａにおける背面側略中央部分には、プロジェクタ１を操作するための複数のキーが配設された操作パネル２Ａ１が設けられている。また、この操作パネル２Ａ１の左側（図１における左側）には、後述する光学装置３を構成する光源装置３１を交換するための開口部２Ａ２が形成され、当該開口部２Ａ２は、アッパーケース２１に着脱自在に設けられたランプカバー２Ａ３により閉塞される。
【００２０】
天面部２Ａにおける前面側（図１における手前側）には、後述する投射レンズ３３の一部が露出する開口部２Ａ４が形成されている。この開口部２Ａ４を介して、投射レンズ３３に設けられたズーム調整用つまみ３３１及びフォーカス調整用つまみ３３２を操作することができる。
【００２１】
また、天面部２Ａにおける前面側略中央には、表示手段７が設けられている。この表示手段７は、それぞれＲ（赤）、Ｇ（緑）及びＢ（青）の３色のＬＥＤ（Light Emitting Diode）が一体となった８つのインジケータ７１〜７８と、当該インジケータ７１〜７８に隣接するように設けられた液晶パネル７９とを備えている。
このうち、インジケータ７１〜７８は、後述する入力端子８１〜８８にそれぞれ対応している。これら各インジケータ７１〜７８及び液晶パネル７９の駆動制御は、後述する制御装置４により行われ、これらの表示状態により、当該入力端子８１〜８８の信号入力状態、及び、信号入力ソースとしての選択状態を判別できる。すなわち、表示手段７は、本発明の報知手段に相当し、各インジケータ７１〜７８は、本発明の表示部に相当する。なお、これらインジケータ７１〜７８及び液晶パネル７９の点灯及び表示については、後に詳述する。
【００２２】
前面部２Ｂにおける右側（図１における右側）には、投射レンズ３３が露出する開口部２Ｂ１が形成され、当該開口部２Ｂ１を介して、画像光が投射面上に投射される。
前面部２Ｂにおける左側には、一部が左側面部２Ｄに跨るように、排気口２Ｂ２が形成されている。この排気口２Ｂ２を介して、筐体２内部を流通し、かつ、プロジェクタ１の構成部品を冷却した空気が、排気ファン（図示省略）により排出される。
【００２３】
右側面部２Ｅには、無線ＬＡＮ（Local Area Network）モジュールを備えたユニットにより構成された入力端子８１が設けられている。この入力端子８１は、予め設定されたＩＰ（Internet Protocol）アドレス等の接続情報に基づいて、他の外部機器と無線通信し、当該外部機器から送信された映像信号等の信号を受信する。そして、当該入力端子８１は、受信した信号を後述する制御装置４に出力する。
このような入力端子８１には、後述する制御装置４により駆動制御されるインジケータ９１が設けられている。このインジケータ９１は、表示手段９を構成するものであり、ＬＥＤにより構成されている。そして、前述のインジケータ７１と同様に、インジケータ９１の点灯状態により、入力端子８１の信号入力状態、及び、信号入力ソースとしての選択状態を判別できる。
【００２４】
底面部２Ｆの背面側左右両端には、プロジェクタ１を設置面上に設置するための固定脚部２Ｆ１が設けられ、前面側略中央には、調節脚部２Ｆ２が設けられている。この調節脚部２Ｆ２は、詳しい図示を省略するが、底面部２Ｆから面外方向に突出する軸状部と、当該軸状部の先端に設けられた設置部とを備え、当該軸状部の突出量に応じて、設置面に対するプロジェクタ１の角度が調整される。
【００２５】
図２は、背面部２Ｃの一部を示す模式図である。
背面部２Ｃには、図２に示すように、上段に位置する複数の入力端子８２〜８８と、下段に位置するインレットコネクタ８９及び信号出力端子９０とが設けられている。また、当該背面部２Ｃには、前述のインジケータ９１とともに表示手段９を構成する表示部としてのインジケータ９２〜９８が設けられており、これらインジケータ９２〜９８は、各入力端子８２〜８８に対応している。これらインジケータ９２〜９８は、前述のインジケータ７１〜７８，９１と同様に、それぞれ３色のＬＥＤにより構成され、対応する入力端子８２〜８８の近傍、具体的には、各入力端子８２〜８８の下方に設けられている。このような表示手段９は、表示手段７と同様に、本発明の報知手段に相当する。
【００２６】
これら入力端子８２〜８８は、それぞれＤ−Ｓｕｂ（D-Subminiature）端子、ＤＶＩ（Digital Visual Interface）端子、ビデオ端子、Ｓ端子（Ｓ−ビデオ端子）、ＵＳＢ（Universal Serial Bus Type-B）端子、有線ＬＡＮ端子及びＨＤＭＩ（High-Definition Multimedia Interface）端子であり、接続された外部機器から入力される映像信号を、後述する制御装置４に出力する。また、信号出力端子９０は、ＵＳＢ（USB Type-A）端子であり、当該制御装置４から入力される信号を、接続された外部機器に出力する。
【００２７】
〔プロジェクタの内部構成〕
図３は、プロジェクタ１の構成を示すブロック図である。
プロジェクタ１は、図３に示すように、光学装置３及び制御装置４を備え、これらは筐体２内に収納されている。また、筐体２内には、図示を省略するが、前述の排気ファン等を備える冷却装置、及び、インレットコネクタ８９を介して入力される商用交流電流を所定電圧の直流電流に変換し、各電子部品に供給する電源装置を備えている。
【００２８】
〔光学装置の構成〕
光学装置３は、制御装置４から入力される駆動信号に応じた画像を投射面上に投影するものであり、当該光学装置３は、光源装置３１、光変調装置３２及び投射レンズ３３を備えている。
光源装置３１は、高圧水銀ランプ等の光源ランプと、反射鏡であるリフレクタとを備え、光変調装置３２に光束を照射する。
光変調装置３２は、液晶パネル及び当該液晶パネルを駆動するドライバを備えて構成されている。このうち、液晶パネルは、制御装置４から入力される駆動信号に応じて液晶の配向状態が制御されることで、入射光束の偏光方向が変調され、これにより、当該駆動信号に応じた画像光が形成される。なお、光変調装置は、液晶パネルを備える構成に限定されるものではなく、例えば、マイクロミラーを用いたデバイス等、液晶以外の構成を採用してもよい。
【００２９】
投射レンズ３３は、光変調装置３２により形成された画像光を投射面上に拡大投射する投射光学装置であり、鏡筒と、当該鏡筒内に収納される複数のレンズとを有している。このうち、鏡筒には、前述のズーム調整用つまみ３３１及びフォーカス調整用つまみ３３２が設けられ、これらつまみ３３１，３３２を操作することにより。鏡筒内部のズームレンズ及びフォーカスレンズが当該鏡筒の軸方向に沿って進退する。
【００３０】
〔制御装置の構成〕
制御装置４は、ＣＰＵ（Central Processing Unit）等が実装された回路基板として構成され、プロジェクタ１全体を制御する。例えば、制御装置４は、操作パネル２Ａ１のキーに対する入力操作に応じた処理を実行する。また、制御装置４は、前述の入力端子８１〜８８を介して外部機器から入力する映像信号を処理して画像データを生成し、当該画像データに応じた駆動信号を前述の光変調装置３２に出力する。このような制御装置４は、切替回路４１、入力検出回路４２及び制御回路４３を備えている。
【００３１】
切替回路４１は、それぞれ入力端子８１〜８８に接続される複数の切替部４１１〜４１８を備えている。これら各切替部４１１〜４１８は、制御回路４３による制御下でオン／オフ状態が切り替わることで、各入力端子８１〜８８のうちの少なくとも１つと、入力検出回路４２及び制御回路４３とを接続する。そして、当該入力端子に入力された映像信号が、切替回路４１を介して、入力検出回路４２及び制御回路４３に入力される。
【００３２】
入力検出回路４２は、本発明の入力検出手段に相当し、切替回路４１により、入力検出回路４２及び制御回路４３に接続された入力端子（入力端子８１〜８８のいずれか）に入力された映像信号を検出する。そして、入力検出回路４２は、映像信号を検出した場合には、制御回路４３に、映像信号を検出した旨の制御信号を出力し、また、所定時間内で検出しなかった場合には、当該制御信号の出力を行わないか、或いは、映像信号を検出しなかった旨の制御信号を、制御回路４３に出力する。
【００３３】
制御回路４３は、操作パネル２Ａ１に対する入力操作に応じて、プロジェクタ１を駆動させる。また、制御回路４３は、電源投入時及び所定の入力操作に応じて、後述する選択状態表示処理を実行し、各入力端子８１〜８８に入力される映像信号の有無、及び、現在の選択端子に基づいて、前述のインジケータ７１〜７８，９１〜９８及び液晶パネル７９の駆動を制御する。このような制御回路４３は、画像処理部４３１、端子選択部４３２、切替制御部４３３、端子判定部４３４、入力判定部４３５、情報取得部４３６及び表示制御部４３７を備えている。
【００３４】
画像処理部４３１は、本発明の処理手段に相当し、グラフィックチップ及びビデオメモリ等により構成されている。そして、画像処理部４３１は、切替回路４１を介して入力端子８１〜８８から入力される映像信号を処理して１画面分の画像データを生成し、生成された画像データに応じた駆動信号を光変調装置３２に出力する。
【００３５】
端子選択部４３２は、本発明の選択手段に相当し、画像処理部４３１に対する映像信号の入力ソースとなる選択端子を選択する。例えば、端子選択部４３２は、使用者により、選択端子を他の入力端子に変更する操作が行われた場合には、当該操作に応じた制御信号を切替回路４１に出力して、変更された選択端子と制御回路４３とを接続させる。また、後述する選択状態表示処理を行う場合には、端子選択部４３２は、所定の時間間隔でそれぞれの入力端子を判定端子として順次選択する。
【００３６】
切替制御部４３３は、プロジェクタ１が通常動作時には、選択端子のみから入力検出回路４２及び制御回路４３に映像信号が入力されるように、また、後述する選択状態表示処理の実行時には、前述の判定端子のみから映像信号が入力されるように、切替回路４１を制御する。例えば、選択端子及び判定端子が入力端子８１である場合には、切替制御部４３３は、当該入力端子８１に接続された切替部４１１を介する映像信号の入力を許容し、他の切替部４１２〜４１８を介する映像信号の入力を許容しないように、各切替部４１１〜４１８の動作を制御する。
【００３７】
端子判定部４３４、入力判定部４３５及び情報取得部４３６は、選択状態表示処理の実行時に機能する。
このうち、端子判定部４３４は、端子選択部により選択された判定端子が、選択端子であるか否かを判定する。
入力判定部４３５は、本発明の判定手段に相当し、入力検出回路４２による映像信号の検出結果に基づいて、判定端子に映像信号が入力しているか否かを判定する。すなわち、入力判定部４３５は、入力検出回路４２から、映像信号が検出された旨の制御信号が入力された場合には、判定端子に映像信号が入力されていると判定する。また、所定時間内（具体的に、他の判定端子に切り替えられるまで）に当該制御信号が入力されなかった場合、或いは、映像信号が検出されなかった旨の制御信号が入力された場合には、入力判定部４３５は、当該判定端子に映像信号が入力されていないと判定する。
【００３８】
情報取得部４３６は、判定端子に接続された外部機器から、当該外部機器の機種名等の機器情報を取得する。具体的に、情報取得部４３６は、例えば、無線ＬＡＮモジュール、ＤＶＩ端子、ＵＳＢ端子、ＬＡＮ端子及びＨＤＭＩ端子で構成された入力端子８１，８３，８６，８７，８８に接続された外部機器から、当該外部機器の機器情報をそれぞれ取得する。
【００３９】
〔表示制御部の構成〕
図４は、表示制御部４３７の構成を示すブロック図である。
表示制御部４３７は、本発明の表示制御手段に相当し、入力端子の選択状態（選択端子として選択されている否か）、及び、入力判定部４３５による判定結果に基づいて、インジケータ７１〜７８，９１〜９８及び液晶パネル７９の駆動を制御する。
この表示制御部４３７は、図４に示すように、点灯設定部４３７１、表示内容設定部４３７２及び動作制御部４３７３を備えている。
【００４０】
点灯設定部４３７１は、選択端子として選択され、かつ、映像信号が入力されていると判定された入力端子に対応するインジケータの点灯状態を「点灯」に設定する。
また、点灯設定部４３７１は、選択端子として選択されているものの、映像信号が入力されていないと判定された入力端子に対応するインジケータの点灯状態を「点滅」に設定する。
更に、点灯設定部４３７１は、映像信号の入力の有無に関らず、選択端子として選択されていない入力端子に対応するインジケータの点灯状態を「消灯」に設定する。
なお、各インジケータ７１〜７８，９１〜９８の点灯及び点滅時の色は、本実施形態では、暗い箇所でも判別しやすい黄色又は白色としているが、適宜設定してよい。
【００４１】
表示内容設定部４３７２は、液晶パネル７９に表示させる内容を設定する。具体的に、表示内容設定部４３７２は、選択端子として選択されている入力端子の種別、及び、当該選択端子に対する映像信号の入力の有無を、表示内容として設定する。更に、表示内容設定部４３７２は、情報取得部４３６により、当該選択端子に接続されている電子機器の機器情報等が取得されている場合には、当該機器情報も表示内容に設定する。
動作制御部４３７３は、点灯設定部４３７１により設定された状態に、各インジケータ７１〜７８，９１〜９８を動作させる。また、動作制御部４３７３は、表示内容設定部４３７２により設定された表示内容を、液晶パネル７９に表示させる。
【００４２】
〔選択状態表示処理〕
図５は、制御装置４による選択状態表示処理を示すフローチャートである。
以下、選択状態表示処理について説明する。
選択状態表示処理は、前述のように、プロジェクタ１の電源投入時、及び、使用者による所定の入力操作時に、図示しない記憶手段から選択状態表示プログラムが読み出され、当該プログラムが制御回路４３により実行されることで処理される。
この選択状態表示処理では、図５に示すように、まず表示制御部４３７の動作制御部４３７３が、選択状態表示処理の処理中であることを示すために、各インジケータ７１〜７８，９１〜９８を点滅させる（ステップＳＡ０１）。また、これとともに、動作制御部４３７３が、各入力端子８１〜８８を判定中であることを示すメッセージを、液晶パネル７９に表示させる（ステップＳＡ０２）。なお、本実施形態では、ステップＳＡ０１にて、動作制御部４３７３が各インジケータ７１〜７８，９１〜９８を赤色点滅させるが、これに限らず、他の色でもよい。
【００４３】
この後、端子選択部４３２が、入力端子の番号を示す値（ｎ）に「０」を設定し（ステップＳＡ０３）、当該端子選択部４３２は、当該値（ｎ）に１を加算する（ステップＳＡ０４）。そして、端子選択部４３２は、当該値（ｎ）が示す入力端子（現時点では値（ｎ）が「１」であるので入力端子８１）を判定端子として選択する（ステップＳＡ０５）。そして、切替制御部４３３は、切替部４１１〜４１８を制御して、設定されていた選択端子と入力検出回路４２及び制御回路４３との接続から、判定端子と入力検出回路４２及び制御回路４３との接続に切り替える（ステップＳＡ０６）。
【００４４】
この後、端子判定部４３４が、現在の判定端子が、選択端子であるか否かを判定する（ステップＳＡ０７）。
ここで、端子判定部４３４により、判定端子は選択端子ではないと判定された場合には、表示制御部４３７の点灯設定部４３７１が、当該判定端子に対応するインジケータの点灯状態を「消灯」に設定する（ステップＳＡ０８）。この後、制御回路４３は、ステップＳＡ１３に移行する。
【００４５】
一方、端子判定部４３４により、判定端子は選択端子であると判定された場合には、入力判定部４３５が、入力検出回路４２から入力される制御信号に基づいて、現在の判定端子に映像信号が入力されているか否かを判定する（ステップＳＡ０９）。
ここで、映像信号は入力されていないと判定された場合には、点灯設定部４３７１が、判定端子に対応するインジケータの点灯状態を「点滅」に設定する（ステップＳＡ１０）。この後、制御回路４３は、ステップＳＡ１３に移行する。
【００４６】
一方、入力判定部４３５により、映像信号は入力されていると判定された場合には、点灯設定部４３７１が、判定端子に対応するインジケータの点灯状態を「点灯」に設定する（ステップＳＡ１１）。この後、情報取得部４３６が、当該判定端子に接続されている外部機器から機器情報を取得する（ステップＳＡ１２）。この後、制御回路４３は、ステップＳＡ１３に移行する。
【００４７】
ステップＳＡ１３では、端子選択部４３２が、全ての入力端子を判定端子として選択したか否かを判定する（ステップＳＡ１３）。ここで、判定端子に設定されていない入力端子があると判定された場合には、端子選択部４３２は、ステップＳＡ０４に戻り、新たに「１」が加算された値（ｎ）によって示される入力端子を判定端子として選択する。
一方、端子選択部４３２により、全ての入力端子が判定端子として選択されたと判定された場合には、動作制御部４３７３が、設定された点灯状態で、各インジケータ７１〜７８，９１〜９８を動作させる（ステップＳＡ１４）。
【００４８】
また、このステップＳＡ１４とともに、表示内容設定部４３７２が、液晶パネル７９の表示内容を設定し、動作制御部４３７３が、現在の選択端子、及び、当該選択端子への映像信号の入力の有無等を液晶パネル７９により表示させる（ステップＳＡ１５）。この際、ステップＳＡ１２にて、選択端子に接続されている外部機器の機器情報が取得されていれば、当該機器情報も合わせて表示される。
以上により、選択状態表示処理が終了する。
このような選択状態表示処理により、選択端子に対応するインジケータは、映像信号が入力されている場合には点灯表示となり、入力されていない場合には点滅表示となる。また、当該選択端子以外の入力端子に対応するインジケータは消灯される。
【００４９】
以上説明した本実施形態のプロジェクタ１によれば、以下の効果がある。
（１）インジケータ７１〜７８，９１〜９８及び液晶パネル７９により、入力端子８１〜８８のうち、使用者の入力操作に基づいて、端子選択部４３２により選択端子として選択された入力端子が示されるので、当該選択端子がどの入力端子であるのかを判別しやすくすることができる。従って、各入力端子８１〜８８に入力する映像信号に基づく画像をそれぞれ表示して選択端子を確認したり、ＯＳＤ（On Screen display）等により選択端子の情報を示す表示を行わせたりすることなく、選択端子がどの入力端子であるのかを目視にて判別することができ、プロジェクタの利便性を向上することができる。
【００５０】
（２）インジケータ７１〜７８，９１〜９８は、入力端子８１〜８８に応じて設けられているので、使用者がプロジェクタ１から離れた場所に居ても、各インジケータ７１〜７８，９１〜９８の表示状態を観察することにより、入力端子の選択状態を簡易に判別することができる。また、これにより、大型の液晶パネル７９を設けなくても、選択端子を確認することができるので、プロジェクタ１の大型化を防ぐことができる。
【００５１】
（３）各インジケータ７１〜７８，９１〜９８のうち、選択端子に対応するインジケータは、映像信号が入力されている場合には点灯し、入力されていない場合には点滅する。また、選択端子でない入力端子に対応するインジケータは消灯する。これによれば、どの入力端子が選択端子であるのかだけでなく、選択端子に映像信号が入力されているか否かを、目視により簡易に確認することができる。従って、各入力端子の選択状態及び信号入力状態を、一層簡易に判別することができる。
【００５２】
（４）インジケータ９１〜９８は、筐体２において、それぞれ対応する入力端子８１〜８８の近傍（下方）に設けられている。これによれば、どのインジケータがどの入力端子に対応しているかを判別しやすくすることができる。従って、インジケータ９１〜９８によって示される選択状態及び信号入力状態が、どの入力端子の状態であるのかを判別しやすくすることができる。
【００５３】
〔２．第２実施形態〕
次に、本発明の第２実施形態に係るプロジェクタ１Ａについて説明する。
本実施形態に係るプロジェクタ１Ａは、前述のプロジェクタ１と同様の構成を備えるが、当該プロジェクタ１では、各インジケータ７１〜７８，９１〜９８が点灯、点滅及び消灯することにより、各入力端子の選択状態及び信号入力状態を示したが、プロジェクタ１Ａでは、色により各状態を示す点で、当該プロジェクタ１Ａとプロジェクタ１とは相違する。なお、以下の説明では、既に説明した部分と同一または略同一である部分については、同一の符号を付して説明を省略する。
【００５４】
図６は、プロジェクタ１Ａの構成を示すブロック図である。
プロジェクタ１Ａは、前述のプロジェクタ１と同様に、入力される映像信号に応じた画像光を形成及び投射する。このプロジェクタ１Ａは、図６に示すように、制御装置４に代えて制御装置４Ａを備えるほかは、プロジェクタ１と同様の構成を有している。また、制御装置４Ａは、切替回路４１、入力検出回路４２及び制御回路４３Ａを備え、当該制御回路４３Ａは、表示制御部４３７に代えて表示制御部４３８を備えるほかは、制御回路４３と同様の構成を有している。
【００５５】
表示制御部４３８は、表示制御部４３７と同様に、選択端子として選択されている入力端子、及び、入力判定部４３５による判定結果に基づいて、インジケータ７１〜７８，９１〜９８の表示状態、及び、液晶パネル７９の表示内容を制御する。この表示制御部４３８は、表示色設定部４３８１、表示内容設定部４３７２及び動作制御部４３７３を備えている。
【００５６】
このうち、表示色設定部４３８１は、端子選択部４３２により選択端子として選択され、かつ、入力判定部４３５により映像信号が入力されていると判定された入力端子に対応するインジケータの色を「青緑色」に設定する。具体的に、表示色設定部４３８１は、当該インジケータを構成するＲＧＢ３色のＬＥＤのうち、Ｇ（緑）及びＢ（青）のＬＥＤを点灯させるように設定する。
また、表示色設定部４３８１は、選択端子として選択されているものの、映像信号が入力されていないと判定された入力端子に対応するインジケータの色を「橙色」に設定する。具体的に、表示色設定部４３８１は、当該インジケータのＧ（緑）及びＲ（赤）のＬＥＤを点灯させるように設定する。
【００５７】
更に、表示色設定部４３８１は、選択端子として選択されていないが、映像信号が入力されていると判定された入力端子に対応するインジケータの色を「赤色」に設定する。具体的に、表示色設定部４３８１は、当該インジケータのＲ（赤）のＬＥＤのみを点灯させるように設定する。
加えて、表示色設定部４３８１は、選択端子として選択されず、また、映像信号が入力されていないと判定された入力端子に対応するインジケータを「消灯」に設定する。
【００５８】
〔選択状態表示処理〕
図７は、制御装置４Ａによる選択状態表示処理を示すフローチャートである。
制御回路４３Ａは、プロジェクタ１Ａの電源投入時、及び、使用者による所定の入力操作時に、選択状態表示プログラムを読み込んで、入力端子８１〜８８の選択状態、及び、映像信号の入力状態に応じて、インジケータ７１〜７８，９１〜９８及び液晶パネル７９を制御する選択状態表示処理を実行する。
この選択状態表示処理では、図７に示すように、制御回路４３Ａが、まず、前述のステップＳＡ０１〜ＳＡ０６と同様の処理を実行する。
【００５９】
この後、制御回路４３Ａの端子判定部４３４が、端子選択部４３２により選択された判定端子が選択端子であるか否かを判定する（ステップＳＡ０７）。
ここで、選択端子でないと判定された場合には、入力判定部４３５が、当該判定端子に映像信号が入力されているか否かを判定する（ステップＳＢ０１）。この判定処理にて、映像信号が入力されていないと判定された場合には、表示色設定部４３８１が、当該判定端子に対応するインジケータの表示状態を「消灯」に設定する（ステップＳＢ０２）。
一方、映像信号が入力されていると判定された場合には、表示色設定部４３８１が、当該インジケータの表示状態を「赤色点灯」に設定する（ステップＳＢ０３）。これらステップＳＢ０２，ＳＢ０３の後、制御回路４３Ａは、ステップＳＡ１３に処理を移行する。
【００６０】
また、ステップＳＡ０７の判定処理にて、判定端子が選択端子であると判定された場合には、入力判定部４３５が、当該判定端子に映像信号が入力されているか否かを判定する（ステップＳＡ０９）。この判定処理にて、映像信号が入力されていないと判定された場合には、表示色設定部４３８１が、当該判定端子に対応するインジケータの表示状態を「橙色点灯」に設定する（ステップＳＢ０４）。この後、制御回路４３Ａは、ステップＳＡ１３に処理を移行する。
【００６１】
一方、映像信号が入力されていると判定された場合には、表示色設定部４３８１が、当該インジケータの表示状態を「青緑色点灯」に設定する（ステップＳＢ０５）。また、この際、情報取得部４３６が、判定端子に接続された外部機器から、可能であれば、機器情報を取得する（ステップＳＡ１２）。この後、制御回路４３Ａは、ステップＳＡ１３に処理を移行する。
【００６２】
ステップＳＡ１３では、端子選択部４３２が全ての入力端子を判定端子として選択したか否かを判定し（ステップＳＡ１３）、選択されていない入力端子があると判定した場合には、当該端子選択部４３２は、ステップＳＡ０４に戻る。
一方、全ての入力端子が判定端子として選択されたと判定された場合には、動作制御部４３７３が、設定された表示状態で、各インジケータ７１〜７８，９１〜９８を動作させ（ステップＳＡ１４）、また、表示内容設定部４３７２により設定された表示内容を液晶パネル７９に表示させる（ステップＳＡ１５）。
以上により、選択状態表示処理が終了する。
【００６３】
以上説明した本実施形態のプロジェクタ１Ａによれば、前述のプロジェクタ１が奏する効果（１），（２），（４）と同様の効果を奏することができるほか、以下の効果を奏することができる。
（５）各インジケータ７１〜７８，９１〜９８のうち、選択端子に対応するインジケータは、映像信号が入力されている場合には「青緑色」で点灯し、入力されていない場合には「橙色」で点灯する。また、選択端子でない入力端子に対応するインジケータは、映像信号が入力されている場合には「赤色」で点灯し、入力されていない場合には消灯する。これによれば、どの入力端子が選択端子であるのかだけでなく、選択端子に映像信号が入力されているか否かを、インジケータ７１〜７８，９１〜９８の色により簡易に確認することができる。従って、各入力端子８１〜８８の選択状態及び信号入力状態を、一層簡易に判別することができる。
【００６４】
〔３．第３実施形態〕
次に、本発明の第３実施形態に係るプロジェクタ１Ｂについて説明する。
本実施形態のプロジェクタ１Ｂは、前述のプロジェクタ１，１Ａと同様の構成を備えるが、当該プロジェクタ１ではインジケータの点灯状態により、また、プロジェクタ１Ａではインジケータの発色状態により、入力端子の選択状態及び映像信号の入力状態を示した。これに対し、プロジェクタ１Ｂでは、インジケータの色により入力端子の種別が区別され、点灯状態により映像信号の入力状態が示される。この点で、プロジェクタ１Ｂは、プロジェクタ１，１Ａと相違する。
【００６５】
図８は、プロジェクタ１Ｂの構成を示すブロック図である。
プロジェクタ１Ｂは、前述のプロジェクタ１と同様に、入力される映像信号に応じた画像光を形成及び投射する。このプロジェクタ１Ｂは、図８に示すように、制御装置４に代えて制御装置４Ｂを備えるほかは、プロジェクタ１と同様の構成を有している。また、制御装置４Ｂは、切替回路４１、入力検出回路４２及び制御回路４３Ｂを備え、当該制御回路４３Ｂは、表示制御部４３７に代えて表示制御部４３９を備えるほかは、制御回路４３と同様の構成を有している。
【００６６】
〔表示制御部の構成〕
表示制御部４３９は、表示制御部４３７と同様に、入力端子の選択状態及び信号入力状態に基づいて、インジケータ７１〜７８，９１〜９８及び液晶パネル７９の表示状態を制御する。この表示制御部４３９は、表示色設定部４３９１、点灯設定部４３９２、表示内容設定部４３７２及び動作制御部４３７３を備えている。
【００６７】
表示色設定部４３９１は、インジケータ７１〜７８，９１〜９８にそれぞれ異なる表示色を設定する。この際、表示色設定部４３９１は、同じ入力端子に対応するインジケータ（例えば、入力端子８１に対するインジケータ７１，９１）が同じ色となるように設定する。なお、本実施形態では、表示色設定部４３９１が設定する各インジケータ７１〜７８，９１〜９８の色は、予め記憶手段（図示省略）に記憶され、当該各色は、青色、水色、青緑色、緑色、黄色、橙色、赤色及び白色である。しかしながら、各インジケータを区別することができれば、他の色に適宜設定してよい。
【００６８】
点灯設定部４３９２は、端子判定部４３４により、判定端子が選択端子でないと判定された場合に、当該判定端子に対応するインジケータの点灯状態を「消灯」に設定する。また、点灯設定部４３９２は、選択端子であると判定された判定端子に映像信号が入力されていると入力判定部４３５により判定された場合に、当該判定端子に対応するインジケータの表示状態を「点灯」に設定し、映像信号が入力されていないと判定された場合に、当該インジケータの表示状態を「点滅」に設定する。
そして、動作制御部４３７３は、これら表示色設定部４３９１により設定された色、及び、点灯設定部４３９２により設定された表示状態に基づいて、各インジケータ７１〜７８，９１〜９８を動作させるとともに、表示内容設定部４３７２に設定された表示内容を、液晶パネル７９に表示させる。
【００６９】
〔選択状態表示処理〕
図９は、制御装置４Ｂによる選択状態表示処理を示すフローチャートである。
制御回路４３Ｂは、前述の場合と同様に、プロジェクタ１Ｂの電源投入時、及び、使用者による所定の入力操作時に、選択状態表示処理を実行する。
この選択状態表示処理では、図９に示すように、まず制御回路４３Ｂが、前述のステップＳＡ０１〜ＳＡ０６と同様の処理を実行する。
この後、端子判定部４３４が、判定端子が選択端子であるか否かを判定する（ステップＳＡ０７）。ここで、選択端子でないと判定された場合には、点灯設定部４３９２が、当該判定端子に対応するインジケータの表示状態を「消灯」に設定し（ステップＳＣ０１）、制御回路４３Ｂは、ステップＳＡ１３に処理を移行する。
【００７０】
また、ステップＳＡ０７の判定処理にて、選択端子であると判定された場合には、表示色設定部４３９１が、当該判定端子に対応するインジケータの表示色を、記憶手段から取得して設定する（ステップＳＣ０２）。
この後、入力判定部４３５が、入力検出回路４２による映像信号の入力検出結果に基づいて、判定端子に映像信号が入力されているか否かを判定する（ステップＳＡ０９）。
ここで、映像信号が入力されていないと判定された場合には、点灯設定部４３９２が、当該インジケータの表示状態を「点滅」に設定し（ステップＳＣ０３）、制御回路４３Ｂは、ステップＳＡ１３に処理を移行する。
【００７１】
一方、ステップＳＡ０９の判定処理にて、映像信号が入力されていると判定された場合には、点灯設定部４３９２が、当該インジケータの表示状態を「点灯」に設定する（ステップＳＣ０４）。この後、情報取得部４３６が、当該判定端子に接続された外部機器から機器情報を取得可能であれば取得し（ステップＳＡ１２）、制御回路４３Ｂは、ステップＳＡ１３に処理を移行する。
【００７２】
ステップＳＡ１３では、端子選択部４３２が、全ての入力端子が判定端子として選択されたか否かを判定し（ステップＳＡ１３）、選択されていない入力端子があると判定した場合には、ステップＳＡ０４に戻る。また、全ての入力端子が選択されたと判定された場合には、動作制御部４３７３が、設定された色及び表示状態で、各インジケータ７１〜７８，９１〜９８を動作させ（ステップＳＡ１４）、設定した表示内容を液晶パネル７９に表示させる（ステップＳＡ１５）。
以上により、選択状態表示処理を終了する。
【００７３】
このような選択状態表示処理により、選択端子に対応するインジケータは、映像信号が入力されている場合には、当該インジケータに予め設定された色での点灯状態となり、入力されていない場合には、当該色での点滅状態となる。また、当該選択端子以外の入力端子に対応するインジケータは消灯状態となる。
【００７４】
以上説明した本実施形態のプロジェクタ１Ｂによれば、前述のプロジェクタ１が奏する効果（１）〜（４）と同様の効果を奏することができるほか、以下の効果を奏することができる。
（６）各インジケータ７１〜７８には、それぞれ異なる表示色が設定され、対応する入力端子が同じインジケータ９１〜９８には、当該インジケータ７１〜７８と同色が設定される。これら各インジケータ７１〜７８，９１〜９８は、対応する入力端子が選択端子であり、かつ、当該入力端子に映像信号が入力されている場合には設定色で点灯し、映像信号が入力されていない場合には設定色で点滅する。また、選択端子でない入力端子に対応するインジケータは消灯する。これによれば、インジケータの表示色に基づいて、選択端子がどの入力端子であるのかを判別することができるだけでなく、表示状態に基づいて、信号入力状態を判別することができる。従って、プロジェクタ１Ｂが配置された場所が暗くても、選択された入力端子、及び、当該入力端子への信号入力状態を判別することができる。
【００７５】
〔４．実施形態の変形〕
本発明は前述の実施形態に限定されるものではなく、本発明の目的を達成できる範囲での変形、改良等は本発明に含まれるものである。
前記各実施形態では、入力端子８１〜８８の選択状態及び信号入力状態を、インジケータ７１〜７８，９１〜９８及び液晶パネル７９により報知するとしたが、本発明はこれに限らない。すなわち、スピーカ等の音声出力手段を備え、当該音声出力手段により、音声にて、入力端子の選択状態及び信号入力状態を報知するように構成してもよい。
【００７６】
前記第１実施形態及び前記第３実施形態では、インジケータの点灯及び点滅により、対応する入力端子が選択端子であり、かつ、映像信号が入力していること、及び、入力していないことを示し、また、インジケータの消灯により、対応する入力端子が選択端子でないことを示したが、本実施形態はこれに限らない。すなわち、各インジケータの点灯、点滅及び消灯と、入力端子の選択状態及び信号入力状態との関係は、適宜変更可能である。
また同様に、前記第２実施形態では、インジケータの表示色により、対応する入力端子の選択状態及び信号入力状態を示したが、表示色は適宜変更可能である。
【００７７】
前記第３実施形態では、選択端子でない入力端子に対応するインジケータは消灯したが、本発明はこれに限らず、当該入力端子に対する信号入力状態を他の表示状態により示してもよい。このような表示状態としては、例えば、インジケータの輝度や、点滅の時間間隔を挙げることができる。
【００７８】
前記第３実施形態では、表示色設定部４３９１が、各インジケータ７１〜７８，９１〜９８の表示色を設定したが、本発明はこれに限らない。すなわち、表示色設定部４３９１がなくても、各インジケータがそれぞれ異なる色のＬＥＤを備える構成とすれば、点灯制御部４３９２により設定される各インジケータの点灯、点滅及び消灯により、対応する入力端子の選択状態及び信号入力状態を示すことができる。
【００７９】
前記各実施形態では、プロジェクタ１，１Ａ，１Ｂは、８つの入力端子８１〜８８を備えるとしたが、本発明はこれに限らず、少なくとも２つの入力端子を備えていればよい。
また、液晶パネル７９は、選択端子の種別及び信号入力状態等を文字等により示す表示を行うとしたが、本発明はこれに限らず、当該表示は、前記第３実施形態にて示したインジケータの表示状態と同様に、選択端子を表す色や番号等であってもよい。このような場合、点灯状態のように当該表示を常に行うことで、選択端子に映像信号が入力していることを示し、また、点滅状態のように当該表示を断続的に行うことで、当該選択端子に映像信号が入力していないことを示すようにしてもよい。なお、液晶パネル７９に代えて、有機ＥＬ（electroluminescence）等の他の表示手段を用いてもよい。
【００８０】
前記各実施形態では、電子機器としてプロジェクタ１，１Ａ，１Ｂを例示したが、本発明はこれに限らず、例えば、音声信号を増幅するアンプや、ビデオデッキ及びＤＶＤ（Digital Versatile Disk）レコーダ等の録画機器等、他の電子機器であってもよい。すなわち、複数の入力端子を備える電子機器に、本発明を適用することができる。
【産業上の利用可能性】
【００８１】
本発明は、それぞれ信号が入力する複数の入力端子を備えた電子機器に利用することができ、例えば、プロジェクタに好適に利用することができる。
【図面の簡単な説明】
【００８２】
【図１】本発明の第１実施形態に係るプロジェクタを前面側から見た斜視図。
【図２】前記実施形態におけるプロジェクタの背面部の一部を示す模式図。
【図３】前記実施形態におけるプロジェクタの構成を示すブロック図。
【図４】前記実施形態における表示制御部の構成を示すブロック図。
【図５】前記実施形態における選択状態表示処理を示すフローチャート。
【図６】本発明の第２実施形態におけるプロジェクタの構成を示すブロック図。
【図７】前記実施形態における選択状態表示処理を示すフローチャート。
【図８】本発明の第３実施形態におけるプロジェクタの構成を示すブロック図。
【図９】前記実施形態における選択状態表示処理を示すフローチャート。
【符号の説明】
【００８３】
１，１Ａ，１Ｂ…プロジェクタ（電子機器）、２…筐体、７，９…表示手段（報知手段）、３１…光源装置、３２…光変調装置、３３…投射レンズ（投射光学装置）、４２…入力検出回路（入力検出手段）、７１〜７８，９１〜９８…インジケータ（表示部）、７９…液晶パネル（表示手段）、８１〜８８…入力端子、４３１…画像処理部（処理手段）、４３２…端子選択部（選択手段）、４３５…入力判定部（判定手段）、４３７，４３８，４３９…表示制御部（表示制御手段）。
【図１】
2009296404.tif 000003
【図２】
2009296404.tif 000004
【図３】
2009296404.tif 000005
【図４】
2009296404.tif 000006
【図５】
2009296404.tif 000007
【図６】
2009296404.tif 000008
【図７】
2009296404.tif 000009
【図８】
2009296404.tif 000010
【図９】
2009296404.tif 000011